(57)【要約】  【課題】複数の犬を繋ぐいでリードの長さを任意にコントロールすることができるようにし、複数の犬の散歩中に各犬を繋ぐリードが絡まないような動物用リードを実現する。  【解決手段】動物用リード１は、リード巻取器２と、該リード巻取器２から所望の長さに引き延ばし／巻戻しされる主リード３と、該主リード３に対してスライド可能に挿通される副リード４，５とによって構成されている。主リード３の先端の掛止具３ｂ、及び副リード４，５の先端の各掛止具４ｄ，５ｄにそれぞれの犬を繋げば３匹の犬を繋いで散歩させることができる。このとき、副リード４，５は、主リード３上を自在に移動できると共に、該主リード３の左右に移動することができるので、副リード４，５に繋がれた犬は主リード３の長さ分以上の行動範囲を有することができる。さらに、リード巻取器２のストップボタン２ｃの操作によって主リード３の長さを制御することもできる。【選択図】図１
2011155930.tif 000002
【特許請求の範囲】
【請求項１】
リード巻取器と、該リード巻取器に対して引き延ばし／巻取り自在に装着され、犬の首輪に装着するための掛止具が先端部に取り付けられた主リードとを備えた動物用リードにおいて、
一端に摺動部材が取り付けられ、他端に犬の首輪に装着するための掛止具が取り付けられた副リードをさらに備え、
前記副リードは、前記摺動部材が前記主リードに挿通されたとき、該主リードの長手方向に沿って自在に移動できると共に、該主リードの周囲を自在に移動できるように構成されていることを特徴とする動物用リード。
【請求項２】
前記主リードには、複数個の前記副リードが挿通されていることを特徴とする請求項１記載の動物用リード。
【発明の詳細な説明】
【技術分野】
【０００１】
本発明は動物用リードに関するものであり、特に、複数の犬を同時に結びつけることができる動物用リードに関するものである。
【背景技術】
【０００２】
従来より、犬を連れて散歩する場合は、その犬をリード（引き紐）に結びつけて連れ廻すことが一般的に行われている。また、リードとリード巻取器とが一体化された動物用リードも広く使用されている。このような犬のリード又は動物用リードに関する技術も種々開示されている。例えば、リードの一端に犬の首輪に繋ぐための掛止具（フック金具）を取り付け、該リードの他端に手で持つための把持部分（通称、『輪っか』と言う）を設けると共に、該リードのほぼ中間位置にもう一つの輪っかを設けたリードが開示されている（例えば、特許文献１参照）。このリードによれば、飼い主が犬を連れて散歩するときに、必要に応じて輪っかを持ち替えることにより、該リードを長く持ったり短く持ったりすることができるので、散歩中の犬をコントロールするときの使い勝手がよくなる。
【０００３】
また、１本のリードの両端に犬の首輪を繋ぐための掛止具（通称、『フック金具』と言う）をそれぞれ取り付け、該リードを中間位置で折り重ねた折り曲げ部分を把持部分（輪っか）とすることにより、２匹の犬を繋ぐことができるようにしたリードも開示されている（例えば、特許文献２参照）。さらに、犬を繋ぐリードと物入れ用のバックとを一体化したリード付きバックの技術も開示されている（例えば、特許文献３参照）。この技術によれば、片手で持つトートバックにリードを取り付けることにより、バックの手持ちと犬のリード引きとを一括して片手だけで行うことができる。また、ウエストポーチにリードを取り付けることにより、該ウエストポーチを腰に装着するだけで、両手を遊ばせたまま犬のリード引きを行うことができる。さらに、ショルダーバックにリードを取り付けることにより、該ショルダーバックを肩に掛けるだけで、両手を遊ばせたまま犬のリード引きを行うことができる。
【０００４】
また、伸び縮み可能なゴム棒などの弾性エレメントによって動物用リードを構成した技術も開示されている（例えば、特許文献４参照）。この技術によれば、紐状のゴム棒からなる弾性エレメントの一端に犬の首輪を繋ぐための掛止具を取り付け、他端に手持ち用のリングが取り付けられている。さらに、該ゴム棒の弾性エレメントが縮んでいるときは、プラスチックなどの組み紐で構成された弾性力のある防護スリーブ内に収納され、該弾性エレメントが伸びたときは、前記防護スリーブから前記弾性エレメントのみが伸び出すように構成されている。このような構成の動物用リードによれば、散歩中の犬が急に走り出したときには、前記動物用リードの弾性力によって引っ張り衝撃力が緩和されるので、犬を連れて散歩する人間の安全性を確保することができる。また、該動物用リードを犬の散歩に使用しないときは、ゴム棒からなる弾性エレメントが収縮して防護スリーブ内に収納されているので、該動物用リードを犬の首輪として使用することができる。
【先行技術文献】
【特許文献】
【０００５】
【特許文献１】実用新案登録第３１２０２１２号公報
【特許文献２】実用新案登録第３１０７２３９号公報
【特許文献３】実用新案登録第３０８９９９２号公報
【特許文献４】特表２００９−５１７０７６号公報
【発明の概要】
【発明が解決しようとする課題】
【０００６】
しかしながら、前記特許文献１に開示された技術は、１本のリードの中間部分と末端部分に手持ち用の把持部分（輪っか）が取り付けられているので、把持部分を持ち変えることによってリードを長く持ったり短く持ったりして散歩中の犬をコントロールすることができるが、１本のリードに複数の犬を繋ぐことはできない。また、前記特許文献２の技術は、１本のリードを２つに折り曲げて両端のそれぞれの掛止具（フック金具）に２匹の犬を繋ぐことはできるが、リードを長くしたり短くしたりするようにコントロールすることはできない。
【０００７】
さらに、前記特許文献３の技術は、犬を繋ぐリードと物入れ用のバックとを一体化しているので、バックを持つ手や、腰や肩に装着したウエストポーチやショルダーバックの装着力を利用してそのまま犬のリードを引くことができるため、手がリードを引くためだけにふさがれることはない。しかし、複数の犬を繋いだり、リードの長さをコントロールしたりすることはできない。また、特許文献４の技術は、紐状のゴム棒からなる弾性エレメントの伸縮によってリードの長さを多少はコントロールすることはできるが、複数の犬を繋ぐことはできない。すなわち、前記各特許文献に開示されたリードでは、複数の犬を繋いだり、リードの長さを任意にコントロールしたり、複数の犬の散歩中にそれぞれの犬を繋ぐリードが絡まないようにすることを同時に実現できるようには工夫されていない。
【０００８】
そこで、複数の犬を繋ぐことができると共に、リードの長さを任意にコントロールすることができるようにし、且つ、複数の犬の散歩中にそれぞれの犬を繋ぐリードが絡まないようにすることができる動物用リードを実現するために解決すべき技術的課題が生じてくるのであり、本発明はこの課題を解決することを目的とする。
【課題を解決するための手段】
【０００９】
本発明は上記目的を達成するために提案されたものであり、請求項１記載の発明は、リード巻取器と、該リード巻取器に対して引き延ばし／巻取り自在に装着され、犬の首輪に装着するための掛止具が先端部に取り付けられた主リードとを備えた動物用リードにおいて、一端に摺動部材が取り付けられ、他端に犬の首輪に装着するための掛止具が取り付けられた副リードをさらに備え、前記副リードは、前記摺動部材が前記主リードに挿通されたとき、該主リードの長手方向に沿って自在に移動できると共に、該主リードの周囲を自在に移動できるように構成されていることを特徴とする動物用リードを提供する。
【００１０】
この構成によれば、動物用リードは、リード巻取器と、該リード巻取器に対して引き延ばし／巻取り自在に装着された主リードと、該主リード上を自在に移動できる副リードとによって構成されている。そして、主リード及び副リードの先端部には、それぞれ、犬の首輪に装着するための掛止具（通称、フック金具と言う）が取り付けられている。これによって、主リードの掛止具及び副リードの掛止具にそれぞれの犬を繋ぐことができるので、１組の動物用リードに複数の犬を繋いで散歩させることが可能となる。しかも、副リードは主リード上を自在に移動することができると共に、該主リードの左右を自在に移動することができるので、主リードに繋がれた犬は該主リードの長さ分の行動範囲を有することができるし、副リードに繋がれた犬は主リードの長さ分プラス副リードの長さ分の行動範囲を有することができる。
【００１１】
請求項２記載の発明においては、前記主リードには、複数個の前記副リードが挿通されていることを特徴とする請求項１記載の動物用リードを提供する。
【００１２】
この構成によれば、前記主リードには複数個の副リードが自在に移動できるように挿通されている。従って、主リードに挿通させる副リードの個数を増やすことによって、１組の動物用リードに３匹以上の犬を繋いで散歩させることができる。
【００１３】
尚、特許請求の範囲には特に記載しないが、前記リード巻取器は、主リードを所望の長さに引き延ばして固定することができるストップボタンを付設している。すなわち、動物用リードにはリード巻取器が取り付けられ、該リード巻取器は主リードを所望の長さに引き延ばして固定するためのストップボタンが付設されている。従って、このストップボタンを押すことによって、主リードを所望の長さまで引き延ばして固定することができるので、主リードを所望の長さに固定することによって散歩中の犬を容易にコントロールすることができる。また、ストップボタンを離せば、犬の行動によって主リードを最大長まで引き延ばすことができ、主リードに繋がれている犬も、副リードに繋がれている犬も、共に主リードの最大長の範囲内においては行動範囲を制限されることはない。
【発明の効果】
【００１４】
請求項１記載の発明は、主リードの掛止具及び副リードの掛止具にそれぞれの犬を繋ぐことができるので、１組の動物用リードに複数の犬を繋いで散歩させることが可能となる。しかも、副リードは主リード上を自在に移動することができると共に、該主リードの左右を自在に移動することができるので、主リードに繋がれた犬は該主リードの長さ分の行動範囲を有することができるし、副リードに繋がれた犬は主リードの長さ分プラス副リードの長さ分の行動範囲を有することができる。言い換えると、リード巻取器に付設されたストップボタンを押すことによって、主リードを所望の長さまで引き延ばして固定することができるので、主リードを所望の長さに固定することによって散歩中の犬を容易にコントロールすることができる。また、ストップボタンを離せば、犬の行動によって主リードを最大長まで引き延ばすことができ、主リードに繋がれている犬も、副リードに繋がれている犬も、主リードの最大長の範囲内においては行動範囲を制限されることはない。
【００１５】
請求項２記載の発明は、主リードには複数個の副リードが自在に移動できるように挿通されているので、請求項１記載の発明の効果に加えて、主リードに挿通させる副リードの個数を増やすことによって、１組の動物用リードに３匹以上の犬を繋いで散歩させることが可能となる。このとき、動物用リードのリード巻取器には、主リードを所望の長さに引き延ばして固定するためのストップボタンが付設されていので、該ストップボタンを押すことによって主リードを所望の長さに固定することができるため、主リード及び副リードに繋がれている全ての犬の行動範囲を一括してコントロールすることができる。また、ストップボタンを離すことにより、犬の行動によって主リードを最大長まで引き延ばすことができるので、主リード及び副リードに繋がれている全ての犬について、主リードの最大長の範囲内で行動範囲を制限させることなく散歩をさせることができる。
【図面の簡単な説明】
【００１６】
【図１】本発明の一実施例に適用される動物用リードの構成図。
【図２】本発明に係る動物用リードの具体的な使用状態を示す第１の説明図。
【図３】本発明に係る動物用リードの具体的な使用状態を示す第２の説明図。
【発明を実施するための形態】
【００１７】
本発明は、複数の犬を繋ぐことができると共に、リードの長さを任意にコントロールすることができるようにし、且つ、複数の犬の散歩中にそれぞれの犬を繋ぐリードが絡まないようにすることができる動物用リードを実現させるという目的を達成するために、リード巻取器と、該リード巻取器に対して引き延ばし／巻取り自在に装着され、犬の首輪に装着するための掛止具が先端部に取り付けられた主リードとを備えた動物用リードにおいて、一端に摺動部材が取り付けられ、他端に犬の首輪に装着するための掛止具が取り付けられた副リードをさらに備え、該副リードは、前記摺動部材が前記主リードに挿通されたとき、該主リードの長手方向に沿って自在に移動できると共に、該主リードの周囲を自在に移動できるように構成したことによって実現した。
【実施例１】
【００１８】
以下、本発明に係る動物用リードの好適な一実施例を図１乃至図３に従って詳細に説明する。尚、以下に述べる実施例中で使用する各図面においては同一の構成要素は同一の符合を付し、且つ重複する説明は省略する。
【００１９】
図１は、本発明の一実施例に適用される動物用リードの構成図である。図１において、動物用リード１は、リード巻取器２と、該リード巻取器２から所望の長さに引き延ばしたり巻き戻されたりする主リード３と、該主リードに対してスライド可能に懸架される１個以上の副リード４，５とを主な構成要素としている。
【００２０】
リード巻取器２は、前記主リード３を巻き取るためのリール２ａと、該リード巻取器２を把持するためのリード把持部２ｂとを備えている。また、前記リード把持部２ｂには、リール２ａから主リード３を所望の長さだけ引き延ばした位置で固定するためのストップボタン２ｃが付設されている。すなわち、前記ストップボタン２ｃを押さない状態では主リード３を自由に引き延ばすことができるが、ストップボタン２ｃを押し続けるとロック状態となって主リード３をそれ以上引き延ばすことができないように構成されている。尚、ストップボタン２ｃを押さない状態では、リール２ａに巻取り力が働いて主リード３を巻き取ることができるように構成されている。しかし、主リード３に犬が繋がれているときは、該犬の前進行動力によって主リード３は引き延ばされた状態となる。
【００２１】
また、主リード３は、その先端部に環状の接続エレメント３ａが取り付けられ、該接続エレメント３ａには犬の首輪に繋ぐための掛止具（フック金具）３ｂが取り付けられている。この主リード３は、布紐又はプラスチック紐などで構成してもよいし、太いゴム紐などの弾性体の紐であってもよいが、犬の引っ張り力に充分に耐え得る引っ張り強度を有する必要がある。また、この主リード３をリード巻取器２のリール２ａから全て引き延ばしたときの全長は、例えば１０ｍ程度である。
【００２２】
また、副リード４，５には、一方の先端にそれぞれ接続リング４ａ、５ａが取り付けられ、該接続リング４ａ、５ａには、それぞれ、前記主リード３の先端の掛止具３ｂ及び接続エレメント３ａに挿通することができる内径を有する摺動部材（輪っか）４ｂ、５ｂが取り付けられている。すなわち、副リード４，５は、それぞれの摺動部材４ｂ、５ｂを介して主リード３上を自在にスライドできるように構成されている。また、副リード４，５の他方の先端部には、それぞれ、接続エレメント４ｃ，５ｃを介して、犬の首輪に繋ぐための掛止具４ｄ，５ｄが取り付けられている。
【００２３】
尚、副リード４と副リード５の長さは同じでもよいが、図１に示すように両者の長さを変えることもできる。すなわち、副リード４と副リード５の長さを変えた場合は、副リード４と副リード５がそれぞれ最大長の状態でそれぞれに繋がれた犬が歩くときに、両方の犬を互いに邪魔にならない状態で歩かせることができる。
【００２４】
また、図１では主リード３に接続する副リードの数は２個で図示されているが、主リード３に接続する副リードは１個でもよいし、さらに３個以上であってもよい。すなわち、動物用リード１に繋ぐ犬の数に応じて、主リード３に接続する副リードの数を適宜に決めればよい。
【００２５】
このように構成された動物用リード１によれば、例えば、一匹の犬を連れて散歩するときには、主リード３の先端に接続された掛止具３ｂを犬の首輪に装着する。そして、該主リード３を所望の長さだけ引き延ばした後に、リード巻取器２のリード把持部２ｂに付設されたストップボタン２ｃを押し続けて主リード３の引き延ばし長さを固定(ロック)してから、リード把持部２ｂを持って一匹の犬を連れ廻せばよい。また、状況に応じてストップボタン２ｃを離し、主リード３を最大長まで延ばして該犬を連れ廻すこともできる。すなわち、主リード３を所望の長さに引き延ばした後にストップボタン２ｃを押し続けたり離したりすることにより、動物用リード１に繋がれた犬の行動範囲を状況によって広げたり狭めたりすることができる。
【００２６】
尚、リード巻取器２に付設されたストップボタン２ｃの操作方法と主リード３の引き延ばしロック及び巻き戻しの関係は前述の対応関係に限定されるものではなく、予め、ストップボタン２ｃの操作方法と主リード３の引き延ばしロック及び巻戻しの関係を該ストップボタン２ｃの操作機構によって構成しておけば、主リード３の引き延ばしや巻き戻しに対して多様な操作方法を実現することもできる。
【００２７】
次に、図１に示す動物用リード１によって、例えば、２匹の犬を連れて散歩するときには、先ず、主リード３を少し引き出してから、副リード４の摺動部材４ｂを前記主リード３の掛止具３ｂ側から挿入して該主リード３の適当な位置まで挿通させる。しかる後に、主リード３の先端に接続された掛止具３ｂを第１の犬の首輪に装着する。次に、副リード４の先端に接続された掛止具４ｄを第２の犬の首輪に装着する。そして、前記主リード３を所望の長さだけ引き延ばした後に、リード巻取器２のリード把持部２ｂに付設されたストップボタン２ｃを押し続けて該主リード３の長さを固定(ロック)してから該リード把持部２ｂを持って二匹の犬を連れ廻せばよい。
【００２８】
また、飼い主が、状況に応じてストップボタン２ｃを離し、主リード３を最大長まで延ばして二匹の犬を連れ廻すこともできる。さらに、状況に応じて、ストップボタン２ｃを離しながら飼い主と二匹の犬との距離を縮めれば、主リード３はリード巻取器２のリール２ａに自動的に巻き取られるので、該主リード３を所望の長さまで短くして二匹の犬を連れ廻すこともできる。
【００２９】
このようにして、主リード３と副リード４を用いて二匹の犬を連れ廻す場合、主リードに繋がれた第１の犬は主リード３の長さに相当する行動範囲を有することは勿論である。一方、副リード４に繋がれた第２の犬についても、副リード４の長さだけで行動範囲が規制されることはなく、主リード３の長さ及び副リード４の長さに相当する行動範囲を有することができる。
【００３０】
すなわち、副リード４に繋がれた第２の犬の行動に伴って、副リード４は摺動部材４ｂを介して主リード３上を自在に移動することができるので、第２の犬の行動範囲は、主リード３の長さ及び副リード４の長さに相当する行動範囲を有することになる。
【００３１】
しかも、副リード４は主リード３の左右の一方側のみに延在するのではなく、第２の犬の行動によって、該副リード４は、前記主リード３の左右（図１における主リード３の上下）方向の何れへも移動することができる。すなわち、副リード４は、主リード３に沿って前後左右に自在に移動することができるので、第２の犬の行動範囲は主リード３の長さ及び副リード４の長さに相当する行動範囲を有することができる。
【００３２】
次に、図１に示す動物用リード１によって、例えば、３匹の犬を連れて散歩するときには、副リード４の摺動部材４ｂを前記主リード３の掛止具３ｂ側から挿入した後に、さらに、副リード５の摺動部材５ｂを前記主リード３の掛止具３ｂ側から挿入して該主リード３の適当な位置まで挿通させる。しかる後に、主リード３の先端に接続された掛止具３ｂを第１の犬の首輪に装着した後、副リード４の先端に接続された掛止具４ｄを第２の犬の首輪に装着し、さらに、副リード５の先端に接続された掛止具５ｄを第３の犬の首輪に装着すればよい。４匹以上の犬を連れて散歩するときには、さらに、別の副リードを主リード３に挿通して逐次追加して行けばよい。
【００３３】
このようにして、主リード３に対して、順次、副リード４、５の摺動部材４ｂ、５ｂを挿通し、それぞれの先端に接続された掛止具３ｂ、４ｄ、５ｄを第１、第２、第３の犬の首輪に装着すれば、動物用リードには３匹の犬を繋ぐことができる。そして、主リード３を所望の長さだけ引き延ばした後に、リード巻取器２のリード把持部２ｂに付設されたストップボタン２ｃを押し続けて該主リード３の長さを固定してから、飼い主は該リード把持部２ｂを持って三匹の犬を連れ廻すことができる。
【００３４】
このとき、主リード３に繋がれた第１の犬は該主リード３の長さに相当する行動範囲を有することは勿論であるが、副リード４、５に繋がれた第２、第３の犬についても該主リード３の長さの範囲内を前後しながら副リード４、５の長さに相当する行動範囲を有することができる。しかも、副リード４、５は主リード３の長手方向の左右を自在に移動することができるので、第２、第３の犬は主リード３の長さ方向全長の左右において副リード４、５の長さ分だけ行動することができる。
【００３５】
図２は、本発明に係る動物用リードの具体的な使用状態を示す第１の説明図である。また、図３は、本発明に係る動物用リードの具体的な使用状態を示す第２の説明図である。すなわち、図２に示すように、飼い主１０は、動物用リード１の主リード３の先端に第１の犬１１を繋ぎ、副リード４の先端に第２の犬１２を繋ぎ、さらに副リード５の先端に第３の犬１３を繋ぐことにより、リード巻取器２のリード把持部を持ってこれらの３匹の犬を散歩させることができる。このとき、同図では特に図示されていないが、リード巻取器２に付設されたストップボタンを操作することにより、主リード３を所望の長さでロックしたり巻き戻したりして、動物用リード１に繋がれた犬の行動範囲をコントロールすることができる。
【００３６】
この場合、図２では、第１の犬１１は主リード３の先端を歩いているが、第２の犬１２は主リード３の左側を副リード４に繋がれて歩き、第３の犬１３は主リード３の右側を副リード５に繋がれて歩いている。
【００３７】
また、図３に示すように、第１の犬１１は主リード３４の先端を歩いたままであるが、第２の犬１２は主リード３の右側を副リード４に繋がれて歩き、第３の犬１３は主リード３の左側を副リード５に繋がれて歩くこともできる。このようにして、第２、第３の犬１２，１３は、主リード３の右側でも左側でも自由に歩くことができる。しかも、副リード３，４は、主リード３の長手方向に沿って自在にスライドすることができるので、第２、第３の犬１２，１３は、飼い主１０に近い位置から第１の犬１１に近い位置まで、主リード３の長手方向に沿って前後に移動することもできる。
【００３８】
また、図２、図３では図示されていないが、副リード４に繋がれた第２の犬１２と副リード５に繋がれた第３の犬１３は、共に主リード３に対して同一側（例えば、第２の犬１２と第３の犬１３が共に主リード３の右側）を歩くこともできる。この場合、副リード４と副リード５の長さを変えることで、副リード４と副リード５がそれぞれ最大長の状態でそれぞれに繋がれた犬１２，１３が歩くときに、両方の犬１２，１３を互いに邪魔にならない状態で歩かせることができる。
【００３９】
以上、本発明に係る動物用リードの具体的な実施例を説明したが、本発明は、この実施例に限定させるものではなく、本発明の精神を逸脱しない限り種々の改変を為すことができ、そして、本発明が該改変されたものに及ぶことは当然である。
【産業上の利用可能性】
【００４０】
本発明の動物用リードは、一匹の犬から複数の犬まで繋ぐことができると共に、リードの長さを任意にコントロールすることができるので、愛犬家において利用できることはもちろんであるが、犬の訓練施設などにおいても有効に利用することができる。
【符号の説明】
【００４１】
１  動物用リード
２  リード巻取器
２ａ  リール
２ｂ  リード把持部
２ｃ  ストップボタン
３  主リード
３ａ  接続エレメント
３ｂ  掛止具
４  副リード
４ａ  接続リング
４ｂ  摺動部材（輪っか）
４ｃ  接続エレメント
４ｄ  掛止具
５  副リード
５ａ  接続リング
５ｂ  摺動部材（輪っか）
５ｃ  接続エレメント
５ｄ  掛止具
１０  飼い主
１１  第１の犬
１２  第２の犬
１３  第３の犬
【図１】
2011155930.tif 000003
【図２】
2011155930.tif 000004
【図３】
2011155930.tif 000005